(57)【特許請求の範囲】
【請求項１】
剪定されて方向が不揃い状態にある枝、木片等の被結束物を、第１の紐部材で取り回して結束作業台に載せ、前記第１の紐部材を巻き取り手段で巻き取ることによりたぐり寄せた一時的な結束状態を保持し、係る一時的な結束状態にある前記被結束物を第２の紐部材で本締め付けして枝、木片等を結束する結束装置であって、前記巻き取り手段を、前記結束作業台にその長手方向に沿う軸線周りに回転するように設けた回転軸部材と、この回転軸部材を回転させる駆動部と、前記回転軸部材の回転により一端を前記結束作業台に結んで固定した前記第１の紐部材の他端が巻き取られるように形成した巻き取り係止部と、前記結束作業台と前記回転軸部材との間に設けられ、前記回転軸部材が逆回転するのを阻止して前記一時的な結束状態を保持する逆回転阻止部材とで形成し、前記駆動部により前記回転軸部材が回転操作されるとき、前記第１の紐部材が前記巻き取り係止部の回転に応じて巻き取られ、前記逆回転阻止部材により前記一時的な結束状態を保持するように構成したことを特徴とする枝、木片等の結束装置。
【請求項２】
前記逆回転阻止部材は、前記回転軸部材に設けたラチェット部材と、前記結束作業台にばね部材を介して設けられ、常時前記ばね部材のばね反力により前記ラチェット部材に係合するように付勢される爪部材とで形成し、前記ばね部材のばね反力に抗して強制的に前記爪部材を前記ラチェット部材の係合から解除することにより、前記第１の紐部材による前記一時的な結束状態を解放することを特徴とする請求項１記載の枝、木片等の結束装置。
【請求項３】
前記巻き取り係止部は、前記回転軸部材に設けた突起部を有することを特徴とする請求項１または２記載の枝、木片等の結束装置。
【請求項４】
前記駆動部は、前記回転軸部材に設けた手動ハンドルで形成したことを特徴とする請求項１乃至３のいずれか一に記載の枝、木片等の結束装置。
【請求項５】
前記枝、木片等の結束装置を、搬送車両に搭載して移動するように形成したことを特徴とする請求項１乃至４のいずれか一に記載の枝、木片等の結束装置。
【発明の詳細な説明】
【０００１】
【発明の属する技術分野】
本発明は、果樹農園や庭園における樹木の枝剪定、あるいは山林における枝木の剪定作業で排出される枝、木片等を省力化を図り、効率よく束ねる枝、木片等の結束装置に関する。
【０００２】
【従来の技術】
従来、例えば果樹や庭木を剪定することで大量の枝が排出されるが、剪定後のこれら大量の枝等をかき集めてまとめ、紐で束ねる作業が必要となる。かかる枝等を束ねて紐で結束する作業は、人手により行われていた。
【発明が解決しようとする課題】
しかしながら、このような結束作業は、排出される枝等が量が少ない場合は良いが、剪定する樹木が多い場合には大量の枝等が排出されることとなり、それだけ結束作業に要する労力が膨大となるばかりか、人手を多く必要とし、ひいては作業者に与える疲労感が大きくなり、さらには剪定作業の効率を低下させるといった問題があった。
【０００３】
本発明は、上記問題点に鑑みて工夫されたもので、果樹、庭木等を剪定した後で排出される枝、木片等を効率よく束ね、作業者に疲労感が少なく、剪定作業の効率を向上しうる枝、木片等の結束装置に関する。
【０００４】
【課題を解決するための手段】
本発明は、上記目的を達成するために、次の構成を有する。すなわち、請求項１の発明に係る枝、木片等の結束装置は、剪定されて方向が不揃い状態にある枝、木片等の被結束物を、第１の紐部材で取り回して結束作業台に載せ、前記第１の紐部材を巻き取り手段で巻き取ることによりたぐり寄せた一時的な結束状態を保持し、係る一時的な結束状態にある前記被結束物を第２の紐部材で本締め付けして枝、木片等を結束する結束装置であって、前記巻き取り手段を、前記結束作業台にその長手方向に沿う軸線周りに回転するように設けた回転軸部材と、この回転軸部材を回転させる駆動部と、前記回転軸部材の回転により一端を前記結束作業台に結んで固定した前記第１の紐部材の他端が巻き取られるように形成した巻き取り係止部と、前記結束作業台と前記回転軸部材との間に設けられ、前記回転軸部材が逆回転するのを阻止して前記一時的な結束状態を保持する逆回転阻止部材とで形成し、前記駆動部により前記回転軸部材が回転操作されるとき、前記第１の紐部材が前記巻き取り係止部の回転に応じて巻き取られ、前記逆回転阻止部材により前記一時的な結束状態を保持するように構成したことを特徴とする。この請求項１の発明によれば、結束作業台に載せられた不揃いの被結束物は、巻き取り手段の回転軸部材を駆動部で回転するだけで、被結束物の外側に取り回された第１の紐部材が、巻き取り手段の巻き取り係止部によりたぐり寄せられて巻き取られ、結束していく。こうして被結束物は、逆回転阻止部材により一時的な結束状態が保持されるが、かかる状態において第２の紐部材を取り回して本締めすることで、被結束物が簡単かつ容易に結束することが可能となる。
また、請求項２の発明は、請求項１記載の枝、木片等の結束装置に係り、前記逆回転阻止部材は、前記回転軸部材に設けたラチェット部材と、前記結束作業台にばね部材を介して設けられ、常時前記ばね部材のばね反力により前記ラチェット部材に係合するように付勢される爪部材とで形成し、前記ばね部材のばね反力に抗して強制的に前記爪部材を前記ラチェット部材の係合から解除することにより、前記第１の紐部材による前記一時的な結束状態を解放することを特徴とする。
この請求項２の発明によれば、爪部材がラチェット部材に係合することで、回転軸部材の逆回転を阻止でき、これにより駆動部が回転軸部材の回転駆動を停止した後でも、被結束物が一時的に結束された状態を第１の紐部材によりそのまま保持でき、このため第２の紐部材を被結束物に取り回して本締めして束ねることが可能となる。
また、請求項３の発明は、請求項１または２記載の枝、木片等の結束装置に係り、前記巻き取り係止部は、前記回転軸部材に設けた突起部を有することを特徴とする。
この請求項３の発明によれば、回転軸部材に設けた巻き取り係止部を、突起部で形成したため、第１の紐部材の他端をこの突起部に引っかけるだけで回転軸部材側に取り付けることができる。これにより回転軸部材が回転されるだけで、第１の紐部材が回転軸部材の回転に応じて巻き取られていくので、第１の紐部材の巻き取り準備作業を容易に行える。
また、請求項４の発明は、請求項１乃至３のいずれか一に記載の枝、木片等の結束装置に係り、前記駆動部は、前記回転軸部材に設けた手動ハンドルで形成したことを特徴とする。
この請求項４の発明によれば、手動で手動ハンドルを回転操作するだけで、回転軸部材を回転することができ、被結束物の一時的な結束作業を簡便に行え、また電動モータといった駆動装置を必要とすることがなく、それだけコスト安価な枝、木片等の結束装置を得られる。
また、請求項５の発明は、請求項１乃至４のいずれか一に記載の枝、木片等の結束装置に係り、前記枝、木片等の結束装置を、搬送車両に搭載して移動するように形成したことを特徴とする。
この請求項５の発明によれば、枝、木片等の結束装置が搬送車両に搭載されるので、所望の場所に枝、木片等の結束装置を移動することができ、例えば果樹園といった剪定作業現場で集中的に結束作業を容易に行え、それだけ剪定作業の効率が大幅に向上する。
【０００５】
【発明の実施の形態】
以下、図面を参照して、本発明の実施の形態について説明する。説明は、実施例を用いて具体的に行う。図１は本発明の一実施例である枝、木片等の結束装置を搬送車両に搭載した状態を示す外観斜視図、図２は図１を反対側から視た外観斜視図、図３は枝、木片等の結束装置のフレーム構造を示す外観斜視図、図４は図３の矢印ＩＶの要部拡大外観斜視図、図５は図４の矢印Ｖから視たフレームの外観斜視図、図６は図５の矢印ＶＩから視た腰部拡大外観斜視図、図７は図５の矢印ＶＩＩから視た腰部拡大外観斜視図、図８は枝の結束作業における結束前の状態を示す作業説明外観斜視図、図９は枝を一時的に結束した状態を示す作業説明外観斜視図である。なお、本実施例は、葡萄、梨、りんご等の果樹園で剪定された枝を束ねる作業に適用した場合を例に挙げて説明する。
図に示されるように、本実施例に係る枝、木片等の結束装置１は、被結束物である剪定後の枝を寄せ集めた枝の束２（以下「枝群」という。図８，図９参照）を結束する装置で、４個の車輪３で移動する搬送車両４に搭載されている。この結束装置１は、上面と一側面とを開口させた略箱形状の結束作業台５を有する。結束作業台５は、アングル材を溶接等により組み立てたフレーム構造体６、このフレーム構造体６に組み込まれるボード７を具備していて、枝群２を載置して結束作業を行うように形成される。
【０００６】
次に、本実施例の主要構成要素であるフレーム構造体６の詳細を説明する。このフレーム構造体６は、底フレーム体６ａと、この底フレーム体６ａの両側に設けた第１側フレーム体６ｂと、第２側フレーム体６ｃとからなる。第１側フレーム体６ｂには、長手方向に沿って４カ所の三角フレーム部６ｂ１、６ｂ２，６ｂ３，６ｂ４が設けられ、強度を高めている。
ここで、巻き取り手段の構成を説明する。巻き取り手段は、回転軸部材８と、この回転軸部材８に回転を与える駆動部たるクランクハンドル９と、枝群２をたぐり寄せて第１の紐部材Ｗ１の一時的な結束状態を保持する巻き取り係止部１０と、逆回転阻止部材１１とでなる。
回転軸部材８は、第１側フレーム体６ｂの両端に位置する三角フレーム部６ｂ１と６ｂ４に設けた軸受け部８ａ，８ｂの間で、かつ第１側フレーム体６ｂの長手方向に沿って回転自在に支持される。そして、クランクハンドル９が手操作で回転されることにより回転駆動する。
巻き取り係止部１０は、第１側フレーム体６ｂの央部における２つの三角フレーム部６ｂ２，６ｂ３の間に設けた固定バー１０ａ、およびこの固定バー１０ａに対応する位置にある回転軸部材８に設けた巻き取り係止部としての突起部１０ｂでなる。固定バー１０ａには、不揃いの枝群２を取り回すことができる程度の長さを有する第１の紐部材Ｗ１の一端Ｗ１１を結わえて係止され、突起部１０ｂにはリング状他端Ｗ１２が係脱自在に係止される。こうして、回転軸部材８が巻き取り方向に回転することで、第１の紐部材Ｗ１が突起部１０ｂの回転により回転軸部材８の外側に巻き取られていく。
また、逆転阻止部材１１は、回転軸部材８の軸端に設けたラチェット部材１１ａと、そのラチェット部材１１ａに係合可能な爪部材１１ｂとで形成される。ラチェット部材１１ａの外周には、歯溝１１ｃが刻まれていて、これに爪部材１１ｂの自由端１１ｄ（図６参照）が係脱する。そして、爪部材１１ｂは第１側フレーム体６ｂの三角フレーム部６ｂ４近傍に取り付けた軸部材１１ｅに揺動自在となるように設けられる一方で、爪部材１１ｂとボード７との間に設けたスプリング１１ｆのばね反力で常時爪部材１１ｂの自由端１１ｄがラチェット部材１１ａの歯溝１１ｃに係合するように付勢される。こうして、逆回転阻止部材１１は、回転軸部材８を枝群２を結束する方向への回転は許容されるが、第１の紐部材Ｗ１の巻き取り方向と反対方向への回転は拘束されるように形成している。
また、図１に示される符号Ｗ２は、枝群２を本格的に締め付けて束ねるのに使用される第２の紐部材を示し、第１の紐部材Ｗ１と同様に、例えば藁をよじった縄紐、麻、綿等の植物性、あるいはビニール等の合成樹脂製の繊維素材を原料とする紐等である。結束作業の準備段階で第２の紐部材Ｗ２の一端Ｗ２１は、第１側フレーム体６ｂにくくりつけられる。なお、図１における符号１３は第２の紐部材Ｗ２を通して位置決めガイドするガイド部で、搬送車両４の下部に設置したボックス１４内の図示されない紐玉から引き出された第２の紐部材Ｗ２の一端Ｗ２１は、ガイド部１３を通過した後、第１フレーム体６ｂにくくりつけられる。さらに、搬送車両４であるが、これは例えば手押し式の車両であって、手押し部４ａを押したり引いたりすることで、結束装置１と共に移動することができる。
【０００７】
こうして、フレーム構造体６に、ボード７を装着することにより結束作業台５を有する結束装置１が形成され、図１に示されるように第１の紐部材Ｗ１の一端Ｗ１１を固定バー１０ａにくくりつけ、また第２の紐部材Ｗ２が第１フレーム体６ｂにくくりつけられて固定されることで、枝群２の結束作業が準備可能となる。
【０００８】
本実施例に係る結束装置１による結束作業について説明する。すなわち、図１に示すように第１の紐部材Ｗ１の一端Ｗ１１を突起部１０ｂに引っかけ、第２の紐部材Ｗ２の一端Ｗ２１を第１側フレーム体６ｂの所定箇所に結わえて下準備をする。図８のように、結束作業台５に剪定された枝群２を運び込んで積み込んでいき、所定量積み込んだとき、クランクハンドル９を図５、図６に示す矢印Ａ方向に回転操作し、回転軸部材８を回転させる。すると、図７のように突起部１０ｂに係合する第１の紐部材Ｗ１は、回転軸部材８によって巻き取られて行く。こうして枝群２の外側をゆったりと取り巻いていた第１の紐部材Ｗ１は、実線に示す状態から二点鎖線に示す状態に巻かれていく。このため、図９に示されるように枝群２は第１の紐部材Ｗ１によりたぐり寄せられていくと、爪部材１１ｂがラチェット部材１１ａの歯溝１１ｃに係合しているので、回転軸部材８の逆回転が拘束されるので、一時的に結束状態を保持したままとなる。次いで、第２の紐部材Ｗ２の一端Ｗ２１を第１側フレーム体６ｂから解き、その一端Ｗ２１を使って結束状態を保持している枝群２を本締めして緊締することで枝群２を結束する。この後、第１の紐部材Ｗ１の他端Ｗ１２を突起部１０ｂから外して拘束を解き、枝群２を作業台５から取り出すことで結束作業が終了する。かかる結束作業を繰り返すことで、大量の枝群を順次結束してまとめていくことができる。
【０００９】
このように、本実施例によれば、枝を結束装置１の結束作業台５に積み込ん後、クランクハンドル９で回転軸部材８を回転操作するだけで、第１の紐部材Ｗ１が枝をたぐり寄せながら一時的に結束した状態を保持するので、その間に第２の紐部材Ｗ２で本締めすることにより枝を結束することができる。このため、結束作業がきわめて簡単かつ容易に行え、労力を大幅に低減でき、ひいては果樹等の剪定作業自体をも効率良く行え、作業者に与える疲労感の軽減等に優れた効果を発揮することができる。
【００１０】
以上、この発明の実施例を詳述してきたが、具体的な構成はこれら実施例に限られるものでなく、本発明の要旨を逸脱しない範囲で適宜変更等があっても本発明に含まれる。
例えば、上記実施例では、駆動部を人力による操作力でクランクハンドル９を回転する構成としたが、この代わりに、電動モータで回転軸部材８を回転駆動する方式であっても可能である。これにより、一層の省力化、疲労の軽減に効果的となる。
また、上記実施例では回転軸部材８に突起部１０ｂを形成したが、この代わりに回転軸部材８に同心円的に設けたドラムを設け、このドラムに第１の紐部材Ｗ１を巻き付ける態様にすることもできる。これにより、巻き取り速度が速められ、作業効率をより向上させることが可能となる。
また、実施例では搬送車両４は手押し方式であったが、適宜電動モータや原動機による駆動力で自走する態様であってもよい。
また、上記実施例では、被結束物として枝群２を束ねる場合について説明したが、枝以外に木片、あるいは窓用サッシュ材、建材等の長尺物を結束する場合にも適宜応用されることは言うまでもない。
また、上記実施例では、スプリング１１ｆを使用したが、軸部材１１ｅに巻き付けるように設けるコイルばねの態様であってもよい。
さらには、爪部材１１ｂをスプリング１１ｆのばね反力で常時係合するように付勢する構造にしたが、この代わりに爪部材１１ｂの自重によりラチェット部材１１ａの歯溝１１ｃに係合する構造にすることも可能である。
【００１１】
【発明の効果】
請求項１の発明に係る枝、木片等の結束装置によれば、巻き取り手段を、結束作業台にその長手方向に沿う軸線周りに回転するように設けた回転軸部材を駆動部で回転させ、回転する回転軸部材により巻き取り係止部に係合する第１の紐部材を巻き取り、逆回転阻止部材により回転軸部材が逆回転するのを阻止して一時的な結束状態を保持し、この状態で第２の紐部材で本締め付けして枝、木片等を結束して構成を有するので、結束作業台に載せられた不揃いの被結束物は、巻き取り手段の回転軸部材を駆動部で回転するだけで、被結束物の外側に取り回された第１の紐部材が、巻き取り手段の巻き取り係止部によりたぐり寄せられて巻き取られ、結束していく。このため、被結束物は、逆回転阻止部材により一時的な結束状態が保持され、かかる状態において第２の紐部材を取り回して本締めすることで、被結束物が簡単かつ容易に結束することができ、結束作業を効率的に行え、作業者の疲労を低減でき、また果樹園、庭園、山林における枝木の剪定作業の能率を向上でき効果を奏する。
また、請求項２の発明は、逆回転阻止部材を、回転軸部材に設けたラチェット部材と、結束作業台にばね部材を介して設けられ、常時ばね部材のばね反力によりラチェット部材に係合するように付勢される爪部材とで形成し、ばね部材のばね反力に抗して強制的に爪部材をラチェット部材の係合から解除することにより、第１の紐部材による一時的な結束状態を解放する構成にしたので、爪部材がラチェット部材に係合することで、回転軸部材の逆回転を阻止でき、これにより駆動部が回転軸部材の回転駆動を停止した後でも、被結束物が一時的に結束された状態を第１の紐部材によりそのまま確実に保持できるので、かかる簡単な構成により第２の紐部材を被結束物に取り回して本締めして束ねる作業を円滑に行え、またコストの安価な結束装置を得ることができる効果を奏する。
また、請求項３の発明は、巻き取り係止部を、回転軸部材に設けた突起部を有する構成であるため、第１の紐部材の他端をこの突起部に引っかけるだけで回転軸部材側に取り付け、回転軸部材を回転するだけで、第１の紐部材が回転軸部材の回転に応じて巻き取られていくので、第１の紐部材の巻き取り準備作業を容易に行える効果を奏する。
また、請求項４の発明は、駆動部を回転軸部材に設けた手動ハンドルで形成する構成としたので、手動で手動ハンドルを回転操作するだけで、回転軸部材を回転することができ、被結束物の一時的な結束作業を簡便に行え、また電動モータといった駆動装置を必要とすることがなく、それだけコスト安価な枝、木片等の結束装置が得られる効果を奏する。
また、請求項５の発明は、枝、木片等の結束装置を、搬送車両に搭載して移動する構成としているので、所望の場所に枝、木片等の結束装置を移動することができ、例えば果樹園といった剪定作業現場で集中的に結束作業を容易に行え、それだけ剪定作業の効率が大幅に向上できる効果を奏する。
【図面の簡単な説明】
【図１】  本発明の実施例に係おける枝、木片等の結束装置を搬送車両に搭載した状態を示す外観斜視図である。
【図２】  図１を反対側から視た外観斜視図である。
【図３】  枝、木片等の結束装置のフレーム構造を示す外観斜視図である。
【図４】  図３の矢印ＩＶの要部拡大外観斜視図である。
【図５】  図４の矢印Ｖから視たフレームの外観斜視図である。
【図６】  図５の矢印ＶＩから視た腰部拡大外観斜視図である。
【図７】  図５の矢印ＶＩＩから視た腰部拡大外観斜視図である。
【図８】  枝の結束作業における結束前の状態を示す作業説明外観斜視図である。
【図９】  枝を一時的に結束した状態を示す作業説明外観斜視図である。
【符号の説明】
１…結束装置、２…枝群、４…搬送車両、５…結束作業台、６…フレーム構造体、６ａ…底フレーム体、６ｂ…第１側フレーム体、６ｃ…第２側フレーム体、７…ボード、８…回転軸部材、９…クランクハンドル、１０…巻き取り係止部、１０ａ…固定バー、１０ｂ…突起部、１１…逆回転阻止部材、１１ａ…ラチェット部材、１１ｂ…爪部材、１１ｆ…スプリング、Ｗ１…第１の紐部材、Ｗ１１…第１の紐部材の一端、Ｗ１２…第１の紐部材の他端、Ｗ２…第２の紐部材、Ｗ２１…第２の紐部材の一端
【図１】
0003764121.tif 000002
【図２】
0003764121.tif 000003
【図３】
0003764121.tif 000004
【図４】
0003764121.tif 000005
【図５】
0003764121.tif 000006
【図６】
0003764121.tif 000007
【図７】
0003764121.tif 000008
【図８】
0003764121.tif 000009
【図９】
0003764121.tif 000010